(57)【特許請求の範囲】
【請求項１】
昇降路に装備されて上昇して上記昇降路に設けられた出入口を閉じる下引き戸と、この下引き戸の裏面に設けられ、上記下引き戸上面の下側との間に案内溝を形成する案内板と、上記下引き戸の上縁部に設けられ、上記案内溝に摺動自在に嵌合され、要時には閉塞位置に変位して上記下引き戸及び昇降路を昇降するかごとの間の隙間を塞ぐ閉塞板と、この閉塞板と上記下引き戸との間に設けられ、上記閉塞板を常時上記下引き戸の裏面側へ引き寄せた後退位置に保持する保持具と、上記閉塞板の下面に設けられ、応動用の斜面が形成されたカムと、上記下引き戸の裏面に長手が鉛直方向に配置され、昇降自在に構成された作動棒と、この作動棒の上端に設けられ、上記下引き戸の裏面から反裏面側に向かって下降する斜面からなる応動用の係合面を有し、該係合面が上記カムに対向位置する押圧体とを備え、上記下引き戸が下方へ戸開された時、上記作動棒が上昇動作し、上記押圧体の応動用係合面により上記閉塞板のカムの応動用斜面を押圧することにより、上記カムが水平方向に動作して上記閉塞板を上記閉塞位置に変位させることを特徴とするダムウェータ用出入口装置。
【発明の詳細な説明】
【０００１】
【発明の属する技術分野】
この発明は、昇降路に設けられた出入口を開閉する上下引き戸が装備されたダムウェータ用出入口装置に関する。
【０００２】
【従来の技術】
図１１〜図１３は、従来のダムウェータ用出入口装置を示す図で、図１１はダムウェータを概念的に示す斜視図、図１２は図１１の出入口装置を拡大して示す正面図、図１３は図１１の出入口箇所の拡大縦断面図である。図において、１は昇降路、２は昇降路１上部の機械室に設けられた巻上機、３は機械室に設けられた制御盤、４は巻上機２の駆動綱車に巻掛けられて一端にかご５、他端につり合おもり６を吊持した主索である。
【０００３】
８は昇降路１に設けられた出入口装置で、出入口９に対向して配置されて昇降路１の壁に固定されたロ字状の枠１０、枠１０の上部の両側にそれぞれ枢着された滑車１１、枠１０内の上側に配置されて枠１０の側枠からなるレール１２に案内具１３を介して摺動自在に係合された上引き戸１４及び上引き戸１４の前面に設けられた把手１５が設けられる。
【０００４】
また、出入口装置８には、枠１０内の下側に配置されて枠１０の側枠からなるレール１２に案内具１３を介して摺動自在に係合された下引き戸１６、一端が上引き戸１４の上端に連結され滑車１１に巻掛けられて他端は下引き戸１６の連結金具１７に連結された連動索１８、枠１０の上枠に設けられて上引き戸１４に対向して配置された上阻止片１９及び枠１０の下枠に設けられて下引き戸１６に対向して配置された下阻止片２０が設けられている。
【０００５】
上記のように構成された従来のダムウェータでは、巻上機２が付勢されると主索４が駆動されてかご５及びつり合おもり６が互いに反対方向へ昇降する。そして、出入口９に対向してかご５が停止する。また、常時は出入口装置８の上引き戸１４及び下引き戸１６は相互に接した位置に配置され、すなわち戸閉されて出入口９を閉じている。
【０００６】
そして、かご５が出入口９に対向して停止すると、人為操作により把手１５を介して上引き戸１４が上方へ戸開されて上阻止片１９に当たって停止し、また上引き戸１４の戸開動作により連動索１８を介して下引き戸１６は下方へ戸開して下阻止片２０に当たって停止する。この状態ではかご５と下引き戸１６の間に図１３に示す隙間Ａが形成される。
【０００７】
【発明が解決しようとする課題】
上記のような従来のダムウェータ用出入口装置において、上引き戸１４及び下引き戸１６を開放して、出入口９とかご５の間で荷物を出し入れする場合に、小さい物品を誤って取り落とすことがある。このときに、落ちた物品がかご５と下引き戸１６の間の隙間Ａから昇降路１のピットに落下し、この物品の回収に煩雑な手間が掛かるという問題点があった。
【０００８】
この発明は、かかる問題点を解消するためになされたものであり、戸開放時にかごと下引き戸の間の隙間が戸開放時に閉塞されるダムウェータ用出入口装置を得ることを目的とする。
【０００９】
【課題を解決するための手段】
この発明に係るダムウェータ用出入口装置においては、昇降路に装備されて上昇して上記昇降路に設けられた出入口を閉じる下引き戸と、この下引き戸の裏面に設けられ、上記下引き戸上面の下側との間に案内溝を形成する案内板と、上記下引き戸の上縁部に設けられ、上記案内溝に摺動自在に嵌合され、要時には閉塞位置に変位して上記下引き戸及び昇降路を昇降するかごとの間の隙間を塞ぐ閉塞板と、この閉塞板と上記下引き戸との間に設けられ、上記閉塞板を常時上記下引き戸の裏面側へ引き寄せた後退位置に保持する保持具と、上記閉塞板の下面に設けられ、応動用の斜面が形成されたカムと、上記下引き戸の裏面に長手が鉛直方向に配置され、昇降自在に構成された作動棒と、この作動棒の上端に設けられ、上記下引き戸の裏面から反裏面側に向かって下降する斜面からなる応動用の係合面を有し、該係合面が上記カムに対向位置する押圧体とを備え、上記下引き戸が下方へ戸開された時、上記作動棒が上昇動作し、上記押圧体の応動用係合面により上記閉塞板のカムの応動用斜面を押圧することにより、上記カムが水平方向に動作して上記閉塞板を上記閉塞位置に変位させるものである。
【００１０】
【発明の実施の形態】
実施の形態１．
図１〜図１０は、この発明の実施の形態の一例を示す図で、図１は出入口装置の正面図、図２は図１の出入口装置の戸開状態を示す図１相当図、図３は図１のＢ−Ｂ線断面を拡大して示す図、図４は図２のＣ−Ｃ線断面を拡大して示す図、図５は図２のＤ−Ｄ線断面を拡大して示す図、図６は図２のＥ−Ｅ線断面を拡大して示す図、図７は図１のＦ部拡大図、図８は図７のＧ−Ｇ線断面図、図９は図１の閉塞板の拡大図、図１０は図９の斜視図である。なお、図１〜図１０の他は前述の図１１〜図１３と同様にダムウェータが構成されている。
【００１１】
図において、１は昇降路、５は昇降路１を昇降するかご、８は昇降路１に設けられた出入口装置で、出入口９に対向して配置されて昇降路１の壁に固定されたロ字状の枠１０、枠１０の上部の両側にそれぞれ枢着された滑車１１、枠１０内の上側に配置されて枠１０の側枠からなるレール１２に案内具１３を介して摺動自在に係合された上引き戸１４及び上引き戸１４の前面に設けられた把手１５が設けられる。
【００１２】
また、出入口装置８には、枠１０内の下側に配置されて枠１０の側枠からなるレール１２に案内具１３を介して摺動自在に係合された下引き戸１６、一端が上引き戸１４の上端に連結され滑車１１に巻掛けられて他端は下引き戸１６の連結金具１７に連結された連動索１８、枠１０の上枠に設けられて上引き戸１４に対向して配置された上阻止片１９及び枠１０の下枠に設けられて下引き戸１６に対向して配置された下阻止片２０が設けられている。
【００１３】
２１は案内板で、下引き戸１６の裏面に固定されて下引き戸１６の幅方向の両端部及び中間部にそれぞれ設けられ、下引き戸１６上面の下側との間に案内溝２２を形成する。２３は閉塞板で、下引き戸１６上面に重合して配置されて、長手が下引き戸１６の全幅に対応して設けられ、案内溝２２に摺動自在に嵌合されている。
【００１４】
２４はカムで、閉塞板２３の裏面に固定されて、閉塞板２３の幅方向の中心が下方に突出し、幅方向の両端部に向かって上昇する斜面が形成され、端部と中間部に設けられた案内板２１相互の中間に対応する位置にそれぞれ配置されている。２５は保持具で、引張りコイルばねからなり、閉塞板２３の長手両端にそれぞれ配置され、一端が閉塞板２３の端部に他端は下引き戸１６の上縁部裏面にそれぞれ連結されている。
【００１５】
２６は作動体で、下引き戸１６の裏面に沿いカム２４対向位置に設けられて長手が鉛直方向に配置され下端が下引き戸１６の下端よりも突出した作動棒２７、作動棒２７の上端に固定されて下引き戸１６の裏面から反裏面側へ向かって下降する斜面からなる係合面２８を有する押圧体２９によって構成されている。３０は案内筒で、下引き戸１６の下面に設けられた貫通孔３１に連通し、この下面から立設され下引き戸１６の裏面に配置されて、作動棒２７が空隙を形成して嵌合される。
【００１６】
３２は阻止ピンで、作動棒２７の次に述べる位置に嵌着される。すなわち、閉塞板２３が後退位置に配置され、かつカム２４の斜面に押圧体２９の係合面２８が近接した状態において、案内筒３０の上端に当たる位置に設けられる。３３は上下案内溝で、案内筒３０の上端から下垂して設けられる。３４は回動阻止子で、作動棒２７に立設されて上下案内溝３３に摺動自在に嵌合され、作動棒２７の案内筒３０内での回動を阻止する。
【００１７】
３５は支持体で、枠１０の下枠の作動体２６対応位置に配置され、下枠に設けられた貫通孔に対向して下枠よりも下降した位置に支持面を形成する支持金具３６の上に装着されて、要時に支持棒２７の下端を支持する。
また、３７は閉塞板２３に設けられたカム２４の斜面と作動体２６の押圧体２９の係合面２８とによって構成された応動手段で、作動体２６の上昇動作を介して水平方向に動作して閉塞板２３を閉塞位置に変位させる。
【００１８】
上記のようにダムウェータ用出入口装置が構成されたダムウェータにおいて、前述の図１１〜図１３に示すダムウェータと同様に、巻上機２が付勢されると主索４が駆動されてかご５及びつり合おもり６が互いに反対方向へ昇降する。そして、出入口９に対向してかご５が停止する。また、常時は図１に示すように出入口装置８の上引き戸１４及び下引き戸１６は相互に接した位置に配置され、すなわち戸閉して出入口９を閉じている。
【００１９】
この状態では、作動体２６は自重によって下引き戸１６に対して下降し阻止ピン３２が案内筒３０の上端に支持されて、作動棒２７の下端が下引き戸１６の下端よりも突出した所定の下降位置に配置される。また、作動体２６が所定の下降位置に配置された状態では、押圧体２９の係合面２８が図３に示すように、閉塞板２３に設けられたカム２４の斜面に近接した位置に配置される。
【００２０】
このため、閉塞板２３は保持具２５により下引き戸１６の裏面側へ引き寄せられて、下引き戸１６上面に重合した後退位置に保持される。この状態ではかご５と下引き戸１６の間に前述の図１３に示す隙間Ａが形成され、これにより昇降するかご５は、昇降路１における上引き戸１４及び下引き戸１６が相互に接し戸閉された出入口９箇所を通過する。
【００２１】
そして、かご５が出入口９に対向して停止すると、人為操作により把手１５を介して上引き戸１４が上方へ戸開されて上阻止片１９に当たって停止する。また、上引き戸１４の戸開動作により連動索１８を介して下引き戸１６は下方へ戸開して下阻止片２０に当たって停止し、図２に示す状態となる。
【００２２】
そして、下引き戸１６が下方へ戸開した状態では、下引き戸１６の下端から突出した作動棒２７の下端が支持体３５に支持される。このため、作動体２６が下引き戸１６に対して上昇し、押圧体２９の係合面２８によって閉塞板２３のカム２４の斜面が押圧される。これにより、作動体２６の上昇動作を介して、応動手段３７の機能、すなわち応動動作によりカム２４が水平方向に動作して閉塞板２３を閉塞位置に変位させる。
【００２３】
これによって、かご５と下引き戸１６の間の隙間Ａが、閉塞位置に変位した閉塞板２３によって閉塞されて図４に示す状態となる。
これによって、上引き戸１４及び下引き戸１６を開放して、出入口９とかご５の間で荷物を出し入れする場合に、かご５と下引き戸１６の間の隙間Ａが閉塞板２３によって閉塞されているので、出し入れ時に誤って小さい物品を取り落とすことがあっても、落ちた物品が閉塞板２３にのる。
【００２４】
このため、出し入れ時に誤って落ちた物品が昇降路１のピットに落下することがなく、容易に落ちた物品を回収することができる。したがって、出入口９とかご５の間での出し入れ時に、誤って取り落とした小さい物品が昇降路１のピットに落下することによって生じる不具合を未然に解消することができる。
【００２５】
【発明の効果】
この発明は以上説明したように、昇降路に装備されて上昇して上記昇降路に設けられた出入口を閉じる下引き戸と、この下引き戸の裏面に設けられ、上記下引き戸上面の下側との間に案内溝を形成する案内板と、上記下引き戸の上縁部に設けられ、上記案内溝に摺動自在に嵌合され、要時には閉塞位置に変位して上記下引き戸及び昇降路を昇降するかごとの間の隙間を塞ぐ閉塞板と、この閉塞板と上記下引き戸との間に設けられ、上記閉塞板を常時上記下引き戸の裏面側へ引き寄せた後退位置に保持する保持具と、上記閉塞板の下面に設けられ、応動用の斜面が形成されたカムと、上記下引き戸の裏面に長手が鉛直方向に配置され、昇降自在に構成された作動棒と、この作動棒の上端に設けられ、上記下引き戸の裏面から反裏面側に向かって下降する斜面からなる応動用の係合面を有し、該係合面が上記カムに対向位置する押圧体とを備え、上記下引き戸が下方へ戸開された時、上記作動棒が上昇動作し、上記押圧体の応動用係合面により上記閉塞板のカムの応動用斜面を押圧することにより、上記カムが水平方向に動作して上記閉塞板を上記閉塞位置に変位させるものである。
【００２６】
これによって、下引き戸を下方へ戸開して出入口を開放したときに、下引き戸の裏面に配置された作動棒が下引き戸に対して上昇し、この作動棒の上昇動作を介して応動手段により閉塞板が動作して後退位置から閉塞位置に変位する。これにより、下引き戸の裏面の視野に入らない所での動作により、かごと下引き戸の間の隙間が、変位した閉塞板によって閉塞される。したがって、出入口を開放して、出入口とかごの間で荷物を出し入れする場合に、誤って小さい物品を取り落とすことがあっても、落ちた物品が閉塞板にのる。このため、落ちた物品が昇降路のピットに落下することがなく、容易に物品を回収することができ、小さい物品が昇降路に落下することによって生じる不具合を未然に解消するという効果を見えにくい所で実施することができる。
【図面の簡単な説明】
【図１】  この発明の実施の形態１を示す出入口装置の正面図。
【図２】  図１の出入口装置の戸開状態を示す図１相当図。
【図３】  図１のＢ−Ｂ線断面を拡大して示す図。
【図４】  図２のＣ−Ｃ線断面を拡大して示す図。
【図５】  図２のＤ−Ｄ線断面を拡大して示す図。
【図６】  図２のＥ−Ｅ線断面を拡大して示す図。
【図７】  図１のＦ部拡大図。
【図８】  図７のＧ−Ｇ線断面図。
【図９】  図１の閉塞板の拡大図。
【図１０】  図９の斜視図。
【図１１】  従来のダムウェータ用出入口装置を示す図で、ダムウェータを概念的に示す斜視図。
【図１２】  図１１の出入口装置を拡大して示す正面図。
【図１３】  図１１の出入口箇所の拡大縦断面図。
【符号の説明】
１  昇降路、５  かご、９  出入口、１６  下引き戸、２３  閉塞板、２５  保持具、２６  作動体、３５  支持体、３７  応動手段。
【図１】
0003748735.tif 000002
【図２】
0003748735.tif 000003
【図３】
0003748735.tif 000004
【図４】
0003748735.tif 000005
【図５】
0003748735.tif 000006
【図６】
0003748735.tif 000007
【図７】
0003748735.tif 000008
【図８】
0003748735.tif 000009
【図９】
0003748735.tif 000010
【図１０】
0003748735.tif 000011
【図１１】
0003748735.tif 000012
【図１２】
0003748735.tif 000013
【図１３】
0003748735.tif 000014